(57)【要約】【課題】  従来の冷媒回路の分岐ユニットは、天井裏・床下・高所などに接地した際もメンテナンス性が悪かった。【解決手段】  この発明の空気調和装置の冷媒回路分岐ユニットは、単一の室外機と複数の室内機とを分岐ユニットを介して冷媒回路で接続し、前記室外機からを分岐ユニットを経由して複数の室内機へ冷媒を供給する空気調和装置であって、前記分岐ユニットを上面及び下面が脱着可能な蓋体で構成されたケーシングで構成したものである。【選択図】        図４
2005326090.tif 000002
【特許請求の範囲】
【請求項１】
単一の室外機と複数の室内機とを分岐ユニットを介して冷媒回路で接続し、前記室外機からを分岐ユニットを経由して複数の室内機へ冷媒を供給する空気調和装置であって、前記分岐ユニットを上面及び下面が脱着可能な蓋体で構成されたケーシングで構成したことを特徴とする空気調和装置の冷媒回路装置。
【請求項２】
前記ケーシング内部に収納される冷媒配管を、上下に２分割構成とした断熱材組立体で気密状態に密封したとしたことを特徴とする請求項１記載の空気調和装置の冷媒回路分岐ユニット。
【請求項３】
断熱材組立体である上断熱材と下断熱材とを、前記ケーシングに対して上面および下面から脱着可能としたことを特徴とする請求項１記載の空気調和装置の冷媒回路分岐ユニット。
【請求項４】
冷媒配管を前記ケーシングに対して上面および下面から脱着可能としたことを特徴とする請求項１記載の空気調和装置の冷媒回路分岐ユニット。
【請求項５】
前記断熱材組立体である上断熱材と下断熱材との接合面をかぎ型にしたことを特徴とする請求項１記載の空気調和装置の冷媒回路分岐ユニット。
【発明の詳細な説明】
【技術分野】
【０００１】
この発明は単一の室外機と複数の室内機とを冷媒回路で接続してなる空気調和機に係り、特に、単一の室外機から複数の室内機へ冷媒を分配する冷媒回路分岐ユニットに関するものである。
【背景技術】
【０００２】
従来の空気調和装置の冷媒回路機の分岐ユニットは、側面に開口する蓋と、少なくとも６個以上で構成されている断熱材を有している。（例えば、特許文献１参照。）
また、別の冷媒分流装置は冷媒回路部品を発泡断熱材でモールドして外函内に収納するものがある。（例えば、特許文献２参照）
【０００３】
【特許文献１】特開２００１−２４１６９６号公報（第４―１３頁、第３図）      特開平１０−２８１５９５号公報  （第４−６頁、図１ないし図３）
【発明の開示】
【発明が解決しようとする課題】
【０００４】
従来の空気調和装置の冷媒回路分岐ユニットは、ケーシング側面に開口する蓋を有しているため、天井裏・床下・高所などに接地した際に冷媒配管が上下方向から直接見えず、メンテナンス性が悪いという問題点があった。また、断熱材が少なくとも６個以上で構成されているため、接合面が多く、気密が保ちにくいという問題点があった。
【０００５】
この発明は、上記のよう課題を解決するためになされたもので、第１の目的は天井裏・床下・高所などに接地した際もメンテナンス性の良い空気調和装置の冷媒回路分岐ユニットを得るものである。
【０００６】
また、第２の目的は気密が保ちやすい断熱材を有することができる空気調和装置の冷媒回路分岐ユニットを得るものである。
【課題を解決するための手段】
【０００７】
この発明に係る空気調和装置の冷媒回路分岐ユニットは、単一の室外機と複数の室内機とを分岐ユニットを介して冷媒回路で接続し、前記室外機からを分岐ユニットを経由して複数の室内機へ冷媒を供給する空気調和装置であって、前記分岐ユニットを上面及び下面が脱着可能な蓋体で構成されたケーシングを備えたものである。
【発明の効果】
【０００８】
この発明の空気調和装置の冷媒回路分岐ユニットは、単一の室外機と複数の室内機とを分岐ユニットを介して冷媒回路で接続し、前記室外機からを分岐ユニットを経由して複数の室内機へ冷媒を供給する空気調和装置であって、前記分岐ユニットを上面及び下面が脱着可能な蓋体で構成されたケーシングを備えた構成にしたので、天井裏・床下・高所などに接地した際もメンテナンス性の良好になるという効果を有する。
【発明を実施するための最良の形態】
【０００９】
実施の形態１．
図１はこの発明の実施の形態１における空気調和機の冷媒回路装置の構成を示す概要図、図２はこの発明の実施の形態１における分岐ユニットの据付状態を示す側面図、図３はこの発明の実施の形態１における分岐ユニットを示す正面分解図、図４はこの発明の分岐ユニットを示す側面分解図、図５は分岐ユニットの据付一例図を示すものである。図において、空気調和装置１は１台の室外機２と複数の室内機３を備えている。前記室外機２には、室外熱交換器、圧縮機、四方弁などの冷媒回路の一部と、室外熱交換器の熱交換を行う為に空気を流れさせるファン、ファンを駆動する為のモータ、装置の制御を行う制御回路（いずれも図示されていない）などを内蔵している。また、前記室内機３には、室内熱交換器などの冷媒回路の一部と、室外熱交換器の熱交換を行う為に空気を流れさせるファン、ファンを駆動する為のモータ、装置の制御を行う制御回路（いずれも図示されていない）などを内蔵している。前記室外機２内の冷媒回路と、前記室内機３の冷媒回路とは、冷媒液配管５と冷媒ガス配管６を介して接続されており、室外機２側の冷媒液配管５から室内機３側の冷媒ガス配管６に分岐するための分岐ユニット４が途中に設置されている。
【００１０】
前記分岐ユニット４の外郭は主に、上下方向に開放したケーシング７と、このケーシング７の上開口部に取り付けられる上蓋８、また、ケーシング７の下開口部に取り付けられる下蓋９で構成されている。前記ケーシング７の一方側面には室外機２側に接続される室外機２側配管取出口１１が設けられており、室外機側のガス管１２、液管１３を延出させ、このガス管１２、液管１３を押さえ込む押え部材１１ａを備えている。また、ケーシング７の他方側面には前記室内機３側に接続される配管を取り出す室内機３側配管取出口１４が設けられており、室内機側ガス管１５、液管１６を延出させ、このガス管１５、液管１６を押さえ込む第２の押え部材１４ａを備えている。さらに、前記ケーシング７内部の冷媒回路１０は、上下に２分割された前記室内機側ガス管１５、液管１６上側を密着状態で押さえる室内機側ガス管押え１７ａ、液管押え１７ｂ、室外機側ガス管押え１７ｃおよび液管押え１７ｄを備えた上断熱材１７と、同じく前記室外側ガス管１２、液管１３下側を密着状態で押える室内機側ガス管押え１８ａ、液管押え１８ｂ、室外機側ガス管押え１８ｃおよび液管押え１８ｄを備えた下断熱材１８によって気密状態に組立て密閉されると同時に保持される。そして、前記冷媒回路分岐ユニット４は、図２に示すように天井１９などに設けられた点検口２０から見える位置に天井梁２１に吊り具２２により据付けられてる。
【００１１】
次に、冷媒回路分岐ユニット４をメンテナンスする場合は、最初に、ケーシング７の上蓋８もしくは下蓋９を取り外す。そして、上断熱材１７もしくは下断熱材１８が露出するので、これらのいずれかを取り外す。上断熱材１７もしくは下断熱材１８を取外した状態で冷媒回路１０が露出するため、メンテナンスすることが容易に可能となる。メンテナンスが終了した後は、前述と逆の順序で部品を装着すれば良い。
【００１２】
分岐ユニット４は、通常、天井裏・床下・高所などに接地される事が多く、メンテナンス作業者は、点検口２０を通して分岐ユニット４の上方向もしくは下方向でメンテナンス作業する。よって、冷媒回路１０を上方向もしくは下方向から直接確認できるため、メンテナンス性が良い。
【００１３】
以上の実施の形態１は、冷媒回路１０を、上下に２分割された上断熱材１７と下断熱材１８によって密閉したものである。これは、温度が低くなった冷媒回路１０への結露防止を目的とするが、部品の寸法精度が低いと上断熱材１７と下断熱材１８の接合面に隙間が生じ、気密性が保てず結露する可能性がある。これを回避するため、図７に示す様な鈎形状の上鈎接合面１７ｅと下鈎接合面１８ｅとすることにより、接合面部が増加すると同時に嵌合性が向上し、気密性が向上することが出来る。
【００１４】
また、前記上断熱材１７と下断熱材１８の接合面にシール材（図示されていない）を設けても同等の効果を得ることが出来る。
【図面の簡単な説明】
【００１５】
【図１】この発明の実施の形態１による空気調和装置の冷媒回路分岐ユニットを示す全体概要図である。
【図２】この発明の実施の形態１による空気調和装置の冷媒回路分岐ユニットの据付状態を示す説明図である。
【図３】この発明の実施の形態１による空気調和装置の冷媒回路分岐ユニットを示す分岐ユニットを示す側面図である。
【図４】この発明の実施の形態１による空気調和装置の冷媒回路分岐ユニットを示す分解斜視図である。
【図５】この発明の実施の形態１による空気調和装置の冷媒回路分岐ユニットを示す正面分解図である。
【図６】この発明の実施の形態１による空気調和装置の冷媒回路分岐ユニットを示す側面分解図である。
【図７】この発明の実施の形態１による空気調和装置の冷媒回路分岐ユニットの断熱材の接合面部を示す部分拡大断面図である。
【符号の説明】
【００１６】
１  空気調和装置
２  室外機
３  室内機
４  分岐ユニット
５  冷媒液配管
６  冷媒ガス配管
７  ケーシング
８  上蓋
９  下蓋
１０  冷媒回路
１１  室外機側配管取出口
１２  室外機側ガス管
１３  室外機側液管
１４  室内機側配管取出口
１５  室内機側ガス管
１６  室内機側液管
１７  上断熱材
１７ａ  室内機側ガス管上押え
１７ｂ  室外機側液管上押え
１７ｃ  室外機側ガス管上押え
１７ｄ  室外機側液管上押え
１７ｅ  上鈎接合面
１８  下断熱材
１８ａ  室内機側ガス管下押え
１８ｂ  室外機側液管下押え
１８ｃ  室外機側ガス管下押え
１８ｄ  室外機側液管下押え
１８ｅ  下鈎接合面
１９  天井
２０  点検口
２１  天井梁
２２  吊り具
【図１】
2005326090.tif 000003
【図２】
2005326090.tif 000004
【図３】
2005326090.tif 000005
【図４】
2005326090.tif 000006
【図５】
2005326090.tif 000007
【図６】
2005326090.tif 000008
【図７】
2005326090.tif 000009